(57)【要約】    【課題】  開口部の周囲の湿式材料により形成される部分の補強を効果的に行うことができ、その湿式材料により形成される部分の熱による膨張収縮や前記開口部周辺部分の変形等によるひび割れ等の発生を効果的に防止し得る繊維メッシュ体、開口部補強構造及び開口部補強工法の提供。    【解決手段】  構築物における開口部の周囲を構成する面がモルタルＲにより形成される場合に、互いに直交状をなす２辺Ｓからなる入隅状部Ｃを有し、繊維製の糸状体Ｙは、直交状をなしてメッシュ体Ｍを構成するものであり、直交状をなす何れの方向の糸状体Ｙも、入隅状部Ｃを構成する２辺Ｓの何れに対しても４５度傾斜状をなす繊維メッシュ体Ｍを、入隅状部Ｃが、開口部の周囲の直角状の隅部に沿うように、モルタルＲにより形成される面に対し平行状に埋設する。【選択図】      図１
2020063593.tif 000002
【特許請求の範囲】
【請求項１】
モルタル又はその他の湿式材料により形成された部分に埋設するための、繊維製の糸状体からなる又は繊維製の糸状体を主材料とするメッシュ体であって、
互いに直交状をなす２辺からなる入隅状部を有し、
全体又は少なくとも前記入隅状部を含む部分における前記繊維製の糸状体は、直交状をなしてメッシュ体を構成するものであり、
前記直交状をなす何れの方向の糸状体も、前記入隅状部を構成する前記２辺の何れに対しても４５度傾斜状をなすことを特徴とする繊維メッシュ体。
【請求項２】
上記湿式材料により面が形成される場合に、その湿式材料により形成される面に対し平行状に埋設するためのものである請求項１記載の繊維メッシュ体。
【請求項３】
上記入隅状部を一箇所に有する請求項１又は２記載の繊維メッシュ体。
【請求項４】
上記糸状体を構成する繊維が耐アルカリ性ガラス繊維である請求項１乃至３の何れか１項に記載の繊維メッシュ体。
【請求項５】
構築物における開口部の周囲がモルタル又はその他の湿式材料により形成される場合に、請求項１乃至４の何れか１項に記載の繊維メッシュ体を、上記入隅状部が、前記開口部の周囲の直角状の隅部に沿うように前記湿式材料により形成された部分に埋設してなる開口部補強構造。
【請求項６】
上記湿式材料により面が形成される場合に、その湿式材料により形成される面に対し、上記繊維メッシュ体が平行状に埋設された請求項５記載の開口部補強構造。
【請求項７】
構築物における開口部の周囲がモルタル又はその他の湿式材料により形成される場合に、請求項１乃至４の何れか１項に記載の繊維メッシュ体を、上記入隅状部が、前記開口部の周囲の直角状の隅部に沿うように前記湿式材料により形成された部分に埋設する開口部補強工法。
【請求項８】
上記湿式材料により面が形成される場合に、その湿式材料により形成される面に対し、上記繊維メッシュ体を平行状に埋設する請求項７記載の開口部補強工法。
【発明の詳細な説明】
【技術分野】
【０００１】
本発明は、モルタル又はその他の湿式材料に埋設して、その湿式材料により形成される部分を補強するための繊維メッシュ体、開口部補強構造及び開口部補強工法に関する。
【背景技術】
【０００２】
特開平１１−２１０１０１号公報には、木造建築物や鉄骨造建築物等の建築に際し、外壁内の結露を防ぎ、断熱・気密性能を向上させる外通気を、モルタル塗りなどの湿式にて実施するものであって、建築物及びモルタル層の耐久性を向上させ、モルタル層のひび割れ、剥落を防止し、モルタルの保護性能の強化と化粧性の向上を同時に実現できる建築物の湿式外通気工法として、建築物の外壁に通気層を設け、外通気ができるように防水紙及び鉄網、或いは防水紙付き鉄網を取付け、軽量セメントモルタルを塗着し、壁面全体の表面又は内部、或いは壁面の一部の表面又は内面に、軽量セメントモルタル乾燥収縮を低減し、引張強さを補強し、ひび割れを防止する網材（繊維ネット）を押圧して埋設した後、仕上げ施工する建築物の湿式外通気工法が開示されている。
【０００３】
更に、同公報には、特にひび割れが発生しやすい窓枠等の開口部付近には、補強用の網材を斜めに張る等の処理を行うことによりひび割れの発生を防止することができる旨記載されている。
【０００４】
しかしながら、窓枠等の開口部付近については、更なる効果的な補強が望まれる。
【先行技術文献】
【特許文献】
【０００５】
【特許文献１】特開平１１−２１０１０１号公報
【発明の概要】
【発明が解決しようとする課題】
【０００６】
本発明は、開口部の周囲の湿式材料により形成される部分の補強を効果的に行うことができ、その湿式材料により形成される部分の熱による膨張収縮や前記開口部周辺部分の変形等によるひび割れ等の発生を効果的に防止し得る繊維メッシュ体、開口部補強構造及び開口部補強工法を提供することを目的とする。
【課題を解決するための手段】
【０００７】
本発明の繊維メッシュ体、開口部補強構造及び開口部補強工法は、次のように表すことができる。
【０００８】
(1) モルタル又はその他の湿式材料により形成された部分に埋設するための、繊維製の糸状体からなる又は繊維製の糸状体を主材料とするメッシュ体であって、
互いに直交状をなす２辺からなる入隅状部を有し、
全体又は少なくとも前記入隅状部を含む部分における前記繊維製の糸状体は、直交状をなしてメッシュ体を構成するものであり、
前記直交状をなす何れの方向の糸状体も、前記入隅状部を構成する前記２辺の何れに対しても４５度傾斜状をなすことを特徴とする繊維メッシュ体。
【０００９】
構築物における、外周側に直角状の隅部を有する開口部の周囲が湿式材料により形成される場合に、繊維製の糸状体からなる又は繊維製の糸状体を主材料とする繊維メッシュ体を、その互いに直交状をなす２辺からなる入隅状部が、前記開口部の周囲の直角状の隅部に沿うようにして、湿式材料により形成された部分に埋設することができる。
【００１０】
全体又は少なくとも前記入隅状部を含む部分における前記繊維製の糸状体は、直交状をなしてメッシュ体を構成するものであり、直交状をなす何れの方向の糸状体も、前記入隅状部を構成する前記２辺の何れに対しても４５度傾斜状をなすので、前記のように埋設された繊維メッシュ体のうち前記開口部の周囲の直角状の隅部を囲む部分の直交状をなす糸状体は、何れも直角状の隅部を形成する２辺に対し４５度傾斜状をなす。
【００１１】
これにより、前記開口部の周囲の湿式材料により形成される部分の補強が効果的に行われ、その湿式材料により形成される部分の熱による膨張収縮や前記開口部周辺部分の変形等によるひび割れ等の発生が効果的に防止される。
【００１２】
(2) 上記湿式材料により面が形成される場合に、その湿式材料により形成される面に対し平行状に埋設するためのものである上記(1)記載の繊維メッシュ体。
【００１３】
(3) 上記入隅状部を一箇所に有する上記(1)又は(2)記載の繊維メッシュ体。
【００１４】
(4) 上記糸状体を構成する繊維が耐アルカリ性ガラス繊維である上記(1)乃至(3)の何れか１項に記載の繊維メッシュ体。
【００１５】
(5) 構築物における開口部の周囲がモルタル又はその他の湿式材料により形成される場合に、上記(1)乃至(4)の何れか１項に記載の繊維メッシュ体を、上記入隅状部が、前記開口部の周囲の直角状の隅部に沿うように前記湿式材料により形成された部分に埋設してなる開口部補強構造。
【００１６】
(6) 上記湿式材料により面が形成される場合に、その湿式材料により形成される面に対し、上記繊維メッシュ体が平行状に埋設された上記(5)記載の開口部補強構造。
【００１７】
(7) 構築物における開口部の周囲がモルタル又はその他の湿式材料により形成される場合に、上記(1)乃至(4)の何れか１項に記載の繊維メッシュ体を、上記入隅状部が、前記開口部の周囲の直角状の隅部に沿うように前記湿式材料により形成された部分に埋設する開口部補強工法。
【００１８】
(8) 上記湿式材料により面が形成される場合に、その湿式材料により形成される面に対し、上記繊維メッシュ体を平行状に埋設する上記(7)記載の開口部補強工法。
【発明の効果】
【００１９】
本発明によれば、開口部の周囲の湿式材料により形成される部分の補強を効果的に行うことができ、その湿式材料により形成される部分の熱による膨張収縮や前記開口部周辺部分の変形等によるひび割れ等の発生を効果的に防止し得る。
【図面の簡単な説明】
【００２０】
【図１】窓部を有する壁の模式的な要部正面図である。
【図２】繊維メッシュ体の模式的な正面図である。
【発明を実施するための形態】
【００２１】
[1] 本発明の実施の形態を、図面を参照しつつ説明する。
【００２２】
図面は何れも本発明の繊維メッシュ体、開口部補強構造及び開口部補強工法についてのものである。
【００２３】
(1) この繊維メッシュ体Ｍは、繊維製の糸状体Ｙである多数の耐アルカリ性ガラス繊維束が直交状をなし、糸状体Ｙ同士の交差部が耐アルカリ性のバインダで被覆されてメッシュ体Ｍを構成してなる。
【００２４】
(2) 繊維メッシュ体Ｍは、円からその四分円を切り欠いた入隅状部Ｃを一箇所に有するものである。その入隅状部Ｃは、互いに直交状をなす２辺Ｓからなる。
【００２５】
(3) 糸状体Ｙは、繊維メッシュ体Ｍの全体にわたり、直交状をなし、直交状をなす何れの方向の糸状体Ｙも、入隅状部Ｃを構成する２辺Ｓの何れに対しても４５度傾斜状をなす。
【００２６】
(4) この繊維メッシュ体Ｍは、建築物の壁部Ｌにおける窓部Ｗ（開口部）の周囲を構成する面がモルタルＲ（湿式材料）により形成されている場合に、メッシュ体Ｍの入隅状部Ｃが、窓部Ｗの周囲の直角状の隅部Ｎに沿うようにして、モルタルＲにより形成される面に対し平行状に埋設して使用することができる。
【００２７】
このように埋設された繊維メッシュ体Ｍのうち窓部Ｗの周囲の直角状の隅部Ｎを囲む部分の直交状をなす糸状体Ｙは、何れも直角状の隅部Ｎを形成する２辺Ｓに対し４５度傾斜状をなし、窓部Ｗの周囲のモルタルにより形成される部分の補強が効果的に行われ、ひび割れ等の発生が効果的に防止される。
【００２８】
[2] 本発明の実施の形態を、上記以外の形態を含めて更に説明する。
【００２９】
(1) 本発明の繊維メッシュ体は、湿式材料により形成された部分に埋設するためのものである。
【００３０】
本発明の繊維メッシュ体の埋設位置は、湿式材料により形成される部分の熱による膨張収縮や開口部周辺部分の変形等によるひび割れ等の発生の防止に効果的な位置とすることができる。
【００３１】
(1-1) 湿式材料としては、例えば、モルタル、プラスター類、しっくい、コンクリート等を挙げることができる。少なくともモルタル、プラスター類、しっくい等は、塗材ということもできる。
【００３２】
(1-2) 本発明の繊維メッシュ体は、湿式材料により面が形成される場合、その面に対し平行状に埋設するためのものとすることができる。
【００３３】
本発明において、湿式材料により形成される面としては、一般的には壁面であるが、その他の自由面であってもよい。
【００３４】
湿式材料により形成される面に対し平行状に埋設する場合、その面から繊維メッシュ体までの湿式材料の厚さを、湿式材料により形成される部分の熱による膨張収縮や開口部周辺部分の変形等によるひび割れ等の発生の防止に効果的な程度とすることが望ましい。そのような厚さは、湿式材料の物性によるが、例えば２乃至３０ｍｍ、好ましくは５乃至２０ｍｍとすることができる。
【００３５】
(1-3) 本発明の繊維メッシュ体は、繊維製の糸状体からなるもの又は繊維製の糸状体を主材料とするものであって、その繊維製の糸状体が直交状をなすことによりメッシュ体を構成するものである。
【００３６】
繊維メッシュ体は、例えば、方形、円形、その他の多角形又は閉曲線形から一部を切り欠いた入隅状部を一箇所（又は複数箇所）に有するものとすることができる。円からその四分円を切り欠いた入隅状部を一箇所に有するものもののように、入隅状部の奥端位置から繊維メッシュ体の外周までの距離が一定状であるか一定に近いものが、補強の効率上好ましい。
【００３７】
(1-4) 繊維メッシュ体としては、繊維製の糸状体（必要に応じPVC等の合成樹脂又はその他のコーティング材若しくはバインダ［例えば耐アルカリ性のもの］でコーティーングしたもの）を網状に形成したものや、そのように網状に形成したもの全体或いは少なくとも糸状体同士の交差部をPVC等の合成樹脂又はその他のコーティング材若しくはバインダ［例えば耐アルカリ性のもの］でコーティーングしたものを例示することができる。
【００３８】
繊維製の糸状体としては、例えば、繊維、糸又は繊維束を挙げることができる。
【００３９】
繊維製の糸状体を構成する繊維としては、必要な耐久性及び強度等の物性を備えたものを用いることができる。強度については例えば、繊維メッシュ体の縦方向及び横方向のそれぞれ５０ｍｍ幅当りの引っ張り強度が、何れも１２００Ｎ／５０ｍｍ以上であるものを挙げることができる。繊維の具体例としては、ガラス繊維、炭素繊維、各種鉱物繊維等の無機繊維；アクリル繊維、ビニロン繊維、ナイロン繊維、ポリエステル繊維、ポリプロピレン繊維、アラミド繊維等の有機繊維を挙げることができる。モルタル等の強アルカリ性を呈する湿式材料に適するのは、耐アルカリ性の繊維であり、好適なものの例として耐アルカリ性ガラス繊維（例えば耐アルカリ耐性に必要な量のジルコニアを含有するもの）を挙げることができる。
【００４０】
(1-5) 本発明の繊維メッシュ体は、互いに直交状をなす２辺からなる入隅状部を有する。
【００４１】
例えば、円からその四分円（又はその他の四分円若しくは他の形状部分）を切り欠いた入隅状部を一箇所に有するものとすることができる。また例えば、正方形又はその他の方形から二等辺三角形（若しくはその他の三角形又は正方形若しくはその他の方形）を切り欠いた入隅状部を一箇所に有するものとすることができる。
【００４２】
入隅状部の角部（頂角部）は、直角状をなすものの他、凹状に湾曲（例えば円弧状）したもの、面取形状をなすものなどとすることもできる。
【００４３】
本発明の繊維メッシュ体は、前記入隅状部を一箇所に有するものとすることができるが、必ずしもこれに限るものではない。
【００４４】
本発明の繊維メッシュ体は、構築物（建築物又はその他の構築物）における窓部、扉部、戸部、ドア部、通気又は換気用孔部等の開口部の周囲が前記湿式材料により形成される場合に、前記入隅状部が、開口部の周囲の直角状の隅部に沿うようにして、湿式材料により形成された部分に埋設することができる。その湿式材料により面が形成される場合、本発明の繊維メッシュ体は、その面に対し平行状に埋設することができる。
【００４５】
繊維メッシュ体の前記入隅状部が開口部の周囲の直角状の隅部に沿うというのは、例えば、前記入隅状部を構成する互いに直交状をなす２辺が、開口部の周囲の直角状の隅部を形成する直角状の２辺に一致することや、ほぼ平行状に近接することを言う。
【００４６】
(1-6) 全体又は少なくとも前記入隅状部を含む部分における前記繊維製の糸状体は、直交状をなすことによりメッシュ体を構成するものである。
【００４７】
直交状をなす何れの方向の糸状体も、前記入隅状部を構成する前記２辺の何れに対しても４５度傾斜状をなす。
【００４８】
４５度傾斜状というのは、４５度傾斜の他、例えば、４０乃至５０度の角度で傾斜するものとすることができ、４１乃至４９度の角度ともすることができる。４２乃至４８度の角度が好ましいが、４３乃至４７度がより好ましく、４４乃至４６度の角度で傾斜するものが更に好ましい。
【００４９】
(2) 本発明の開口部補強構造は、構築物（建築物又はその他の構築物）における窓部、扉部、戸部、ドア部、通気又は換気用孔部等の開口部の周囲が上記湿式材料により形成される場合に、本発明の繊維メッシュ体を、前記入隅状部が、前記開口部の周囲の直角状の隅部に沿うように前記湿式材料により形成された部分に埋設してなるものである。
【００５０】
この開口部補強構造は、前記湿式材料により面が形成される場合に、その湿式材料により形成される面に対し、前記繊維メッシュ体が平行状に埋設されたものとすることができる。
【００５１】
(3) 本発明の開口部補強工法は、構築物（建築物又はその他の構築物）における窓部、扉部、戸部、ドア部、通気又は換気用孔部等の開口部の周囲が前記湿式材料により形成される場合に、本発明の繊維メッシュ体を、前記入隅状部が、開口部の周囲の直角状の隅部に沿うように前記湿式材料により形成された部分に埋設するものである。
【００５２】
この開口部補強工法は、前記湿式材料により面が形成される場合に、その湿式材料により形成される面に対し、前記繊維メッシュ体を平行状に埋設するものとすることができる。
【符号の説明】
【００５３】
Ｃ      入隅状部
Ｌ      壁部
Ｍ      繊維メッシュ体
Ｎ      隅部
Ｒ      モルタル
Ｓ      辺
Ｗ      窓部
Ｙ      糸状体
【図１】
2020063593.tif 000003
【図２】
2020063593.tif 000004